(57)【要約】【課題】家具用固定具によって家具の側板と天板、または、家具の側板と地板とをより強固に組み合わせることができるようにする。【解決手段】壁Ｗと家具Ｆの背板Ｆ１との間に配されると共に前記背板Ｆ１の表側から前記壁Ｗに打ち込まれる軸状固定具Ｓの通し部１０を備えた固定部材１と、前記軸状固定具Ｓの案内部２０を備えると共に、位置決め手段２１によって前記案内部２０を前記通し部１０の前方に位置させるように前記背板Ｆ１の表側に位置づけ可能とされたガイド部材２とからなる。前記固定部材１は、前記家具Ｆの側板Ｆ４に設けられる被連結部材３と、前記家具Ｆの天板Ｆ２又は地板Ｆ３に設けられる被連結部材３とをそれぞれ、前方から受け入れる受入部１１を備えると共に、前記受入部１１内に、前記受け入れに伴って前記被連結部材３を引き込む傾斜部分１１ｇを形成させてなる。【選択図】図１１
2016007480.tif 000002
【特許請求の範囲】
【請求項１】
壁と家具の背板との間に配されると共に、前記背板の表側から前記壁に打ち込まれる軸状固定具の通し部を備えた固定部材と、
前記軸状固定具の案内部を備えると共に、位置決め手段によって前記案内部を前記通し部の前方に位置させるように前記背板の表側に位置づけ可能とされたガイド部材とからなり、
前記固定部材は、前記家具の側板に設けられる被連結部材と、前記家具の天板又は地板に設けられる被連結部材とをそれぞれ、前方から受け入れる受入部を備えると共に、
前記受入部内に、前記受け入れに伴って前記被連結部材を引き込む傾斜部分を形成させてなる、家具用固定具。
【請求項２】
前記受入部は、前記被連結部材を受け入れ可能に、前方と前記固定部材の側縁とにおいて共に開放された溝状凹所となっている、請求項１に記載の家具用固定具。
【請求項３】
前記固定部材は、実質的に四角形の正面形状を有すると共に、
前記固定部材を二分する仮想の水平線を挟んだ一方側に前記水平線に対し直交向きの溝状凹所と前記水平線に対し平行向きの溝状凹所を有し、且つ前記水平線を挟んだ他方側の形状を前記一方側の形状と線対称となる形状としてなる、請求項２に記載の家具用固定具。
【請求項４】
前記被連結部材は、家具側へのねじ込み部と反対の側に頭部を備えた軸状となっており、
前記受入部は、前記被連結部材の前記頭部を受入する内奥部を備えてなる、請求項１〜請求項３のいずれか１項に記載の家具用固定具。
【請求項５】
前記内奥部における前記頭部の顎部に接する箇所を前記傾斜部分とさせてなる、請求項４に記載の家具用固定具。
【請求項６】
前記ガイド部材は、家具の天板、側板又は地板に接すると共に前記位置決め手段を備えたベース部と、
前記ベース部から突き出すと共に前記案内部を備えた立ち上がり部とを備えてなる、請求項１〜請求項５のいずれか１項に記載の家具用固定具。
【請求項７】
前記ガイド部材の案内部は、貫通孔であることを特徴とする請求項１〜請求項６のいずれか１項に記載の家具用固定具。
【発明の詳細な説明】
【技術分野】
【０００１】
この発明は、家具をその背側において壁に固定するにあたって利用される家具用固定具の改良に関する。
【背景技術】
【０００２】
家具の背側に予め固定されると共に、家具の背板に表側からねじ込まれるビスを通過させる壁面固定孔を備えた固定部材（家具用固定具）がある。（特許文献１参照）
【０００３】
かかる固定部材は、前記ビスを壁に打ち込むに先立ち、家具の角部にネジを用いて予め取り付けられるものとなっている。すなわち、かかる固定部材には、家具の側板にねじ込まれるネジが挿通される固定孔と、家具の天板又は地板にねじ込まれるネジが挿通される固定孔とが設けられており、固定部材の家具への取り付けにより箱型家具を精度良く組立可能としている。
【先行技術文献】
【特許文献】
【０００４】
【特許文献１】特許第５２８２０５２号公報
【発明の概要】
【発明が解決しようとする課題】
【０００５】
この発明が解決しようとする主たる問題点は、この種の家具用固定具によって家具の側板と天板、または、家具の側板と地板とをより強固に組み合わせることができるようにすると共に、かかる家具用固定具を用いた家具の壁への固定作業をより容易なものとする点にある。
【課題を解決するための手段】
【０００６】
前記課題を達成するために、この発明にあっては、家具用固定具を、壁と家具の背板との間に配されると共に、前記背板の表側から前記壁に打ち込まれる軸状固定具の通し部を備えた固定部材と、
前記軸状固定具の案内部を備えると共に、位置決め手段によって前記案内部を前記通し部の前方に位置させるように前記背板の表側に位置づけ可能とされたガイド部材とからなり、
前記固定部材は、前記家具の側板に設けられる被連結部材と、前記家具の天板又は地板に設けられる被連結部材とをそれぞれ、前方から受け入れる受入部を備えると共に、
前記受入部内に、前記受け入れに伴って前記被連結部材を引き込む傾斜部分を形成させてなる、ものとした。
【０００７】
前記固定部材は、天板又は地板に備えられた被連結部材を前記受入部に前方から納めると共に、側板に備えられた被連結部材を前記受入部に前方から納めるようにしてセットされる。前記受入部内には前記傾斜部分があることから、受入部に被連結部材が入り込むにしたがって固定部材は天板又は地板に押しつけられると共に側板の内面に押しつけられ、固定部材により天板又は地板と、側板とを隙間なく強固に連結させることができる。このように固定部材をセットした状態から、前記ガイド部材の案内部を通じて軸状固定具を背板に突き通すと、ガイド部材は、案内部の後方に固定部材の通し部が位置されるように家具側に固定されることから、かかる軸状固定具は前記通し部を通じて壁に打ち込まれ、これにより家具が壁に固定される。
【０００８】
前記受入部は、前記被連結部材を受け入れ可能に、前方と前記固定部材の側縁とにおいて共に開放された溝状凹所としておくことが、この発明の好ましい態様の一つとされる。
【０００９】
また、前記固定部材を、実質的に四角形の正面形状を有するものとすると共に、
前記固定部材を二分する仮想の水平線を挟んだ一方側に前記水平線に対し直交向きの溝状凹所と前記水平線に対し平行向きの溝状凹所を有し、且つ前記水平線を挟んだ他方側の形状を前記一方側の形状と線対称となる形状としてなるものとしておくことが、この発明の好ましい態様の一つとされる。このようにした場合、一種類の固定部材をもって、家具の各隅部の固定をなすことが可能とされる。
【００１０】
また、前記被連結部材は、家具側へのねじ込み部と反対の側に頭部を備えた軸状となっており、
前記受入部は、前記被連結部材の前記頭部を受入する内奥部を備えてなるものとしておくことが、この発明の好ましい態様の一つとされる。
【００１１】
また、前記内奥部における前記頭部の顎部に接する箇所を前記傾斜部分とさせておくことが、この発明の好ましい態様の一つとされる。
【００１２】
また、前記ガイド部材は、家具の天板、側板又は地板に接すると共に前記位置決め手段を備えたベース部と、
前記ベース部から突き出すと共に前記案内部を備えた立ち上がり部とを備えたものとしておくことが、この発明の好ましい態様の一つとされる。
【００１３】
また、前記ガイド部材の案内部を、貫通孔としておくことが、この発明の好ましい態様の一つとされる。
【発明の効果】
【００１４】
この発明にかかる家具用固定具によれば、家具の側板と天板、または、家具の側板と地板とをより強固に組み合わせることができる。また、前記ガイド部材を利用した家具の前側からの軸状固定具の壁への打ち込みにより家具の壁への固定作業を容易に行うことができる。
【図面の簡単な説明】
【００１５】
【図１】図１は、この発明の一実施の形態にかかる家具用固定具を使って壁に固定される家具の一例を示した一部破断斜視構成図であり、かかる家具をその背側から見て示している。
【図２】図２は、前記家具の正面構成図であり、前記家具用固定具の輪郭を合わせて表して示している。
【図３】図３は、前記家具用固定具を構成する固定部材の正面図である。
【図４】図４は、前記固定部材の平面図である。
【図５】図５は、前記固定部材の背面図である。
【図６】図６は、前記家具用固定具を構成するガイド部材の正面図である。
【図７】図７は、前記ガイド部材の左側面図である。
【図８】図８は、前記家具の右上の隅部に前記家具用固定具を固定する過程を示した斜視図であり、前記隅部に被連結部材を備えさせた状態を示している。
【図９】図９は、前記家具の右上の隅部に前記家具用固定具を固定する過程を示した斜視図であり、図８の状態から、前記隅部にガイド部材を備えさせた状態を示している。
【図１０】図１０は、前記家具の右上の隅部に前記家具用固定具を固定する過程を示した斜視図であり、図９の状態から、前記家具の背板を取り付けている状態を示している。
【図１１】図１１は、前記家具の右上の隅部に前記家具用固定具を固定する過程を示した斜視図であり、図１０の状態から、前記隅部に前記固定部材を取り付ける直前の状態を示している。
【図１２】図１２は、前記家具の右上の隅部に前記家具用固定具を固定する過程を示した斜視図であり、図１１の状態から、前記隅部に前記固定部材を取り付けた状態を示している。
【図１３】図１３は、軸状固定具を壁に打ち込んで家具を壁に固定した状態を示した断面図である。
【図１４】図１４は、前記家具の左上および左下の隅部に前記固定部材を利用するときの固定部材の状態を示した正面図である。
【発明を実施するための形態】
【００１６】
以下、図１〜図１４に基づいて、この発明の典型的な実施の形態について、説明する。この実施の形態にかかる家具用固定具は、家具Ｆをその背側において壁Ｗに固定するにあたって利用されるものである。典型的には、かかる家具用固定具は、戸棚や吊戸棚などの家具Ｆを、これらの背側において壁Ｗに固定するにあたって利用されるものである。
【００１７】
かかる家具用固定具は、固定部材１と、ガイド部材２とからなる。一つの家具Ｆを壁Ｗに固定するにあたっては、典型的には、二以上の家具用固定具が利用される。
【００１８】
固定部材１は、壁Ｗと家具Ｆの背板Ｆ１との間に配される。典型的には、固定部材１は、家具Ｆの背側を壁Ｗに密着させた状態において、この家具Ｆの背板Ｆ１と壁Ｗとの間に形成される隙間Ｌ（図１３）に納まる前後寸法を備えるように構成される。すなわち、固定部材１の前後寸法は、前記家具Ｆの背板Ｆ１と壁Ｗとの間に形成される隙間Ｌと略等しいか、これよりやや小さく設定される。
【００１９】
図示の例では、家具Ｆは、前記背板Ｆ１を有すると共に、天板Ｆ２と地板Ｆ３と側板Ｆ４とを有した前面開放の箱状体となっている。地板Ｆ３の後端側であってこの地板Ｆ３の上面部には、この後端との間にやや間隔を開けて左右方向に続く前記背板Ｆ１の下側の端部Ｆ１ａを納める溝Ｆ３ａが形成されている。また、前記側板Ｆ４の後端側であってこの側板Ｆ４の内面部には、この後端との間にやや間隔を開けて上下方向に続く前記背板Ｆ１の側端部Ｆ１ａを納める溝Ｆ４ａが形成されている。また、天板Ｆ２の後端側であってこの天板Ｆ２の下面部には、この後端との間にやや間隔を開けて左右方向に続く前記背板Ｆ１の上側の端部Ｆ１ａを納める溝Ｆ２ａが形成されている。前記背板Ｆ１は、これらの溝Ｆ２ａ、Ｆ３ａ、Ｆ４ａに対応する端部Ｆ１ａをそれぞれ納めて、家具Ｆの背側を塞いでいる。これにより、図示の例では、地板Ｆ３、側板Ｆ４及び天板Ｆ２の後端と背板Ｆ１の裏面Ｆ１ｂとの間に前記隙間Ｌが形成されるようになっている。
【００２０】
また、前記固定部材１は、（１）前記背板Ｆ１の表側から前記壁Ｗに打ち込まれる軸状固定具Ｓの通し部１０と、（２）前記家具Ｆの側板Ｆ４に設けられる被連結部材３と、前記家具Ｆの天板Ｆ２又は地板Ｆ３に設けられる被連結部材３とをそれぞれ、前方から受け入れる受入部１１とを備えている。
【００２１】
図示の例では、固定部材１は、実質的に四角形の正面形状を備えている。固定部材１の略中央に、この固定部材１を前後に貫通する前記通し部１０が形成されている。
【００２２】
また、図示の例では、固定部材１は、四つの受入部１１…１１を備えている。かかる受入部１１は、前記被連結部材３を受け入れ可能に、前方と前記固定部材１の側縁１３とにおいて共に開放された溝状凹所１１ａとなっている。
【００２３】
また、図示の例では、固定部材１はプラスチック製となっており、固定部材１の前面部には、図中符号１２で示す複数の肉抜きとなる凹所が形成されている。
【００２４】
この実施の形態にあっては、前記固定部材１を二分する仮想の水平線ｘ（図３参照）を挟んだ一方側（図３においては上側）に前記水平線ｘに対し直交向きの溝状凹所１１ａと前記水平線ｘに対し平行向きの溝状凹所１１ａを有し、且つ前記水平線ｘを挟んだ他方側（図３においては下側）の形状を前記一方側の形状と線対称となる形状としている。
【００２５】
図示の例では、前記水平線ｘの上側では、固定部材１を左右に二分する仮想の垂直線ｙを挟んだ左側において、固定部材１の上辺となる側縁１３において溝一端１１ｂを開放させて下方に延びる溝状凹所１１ａが形成されている。また、前記水平線ｘの上側では、前記垂直線ｙを挟んだ右側において、固定部材１の右辺となる側縁１３において溝一端１１ｂを開放させて左方に延びる溝状凹所１１ａが形成されている。また、前記水平線ｘの下側では、前記垂直線ｙを挟んだ左側において、固定部材１の下辺となる側縁１３において溝一端１１ｂを開放させて上方に延びる溝状凹所１１ａが形成されている。また、前記水平線ｘの下側では、前記仮想の垂直線ｙを挟んだ右側において、固定部材１の右辺となる側縁１３において溝一端１１ｂを開放させて左方に延びる溝状凹所１１ａが形成されている。
【００２６】
各溝状凹所１１ａは、開放された溝一端１１ｂと、閉塞された溝他端１１ｃとの間に、溝幅を狭めた狭窄部１１ｄを有している。かかる狭窄部１１ｄは、両溝壁Ｗから内方に突き出す膨出部１１ｅにより構成されている。狭窄部１１ｄと溝他端１１ｃとの間が溝状凹所１１ａの後述の内奥部１１ｆとして機能するようになっている。
【００２７】
また、前記受入部１１として各溝状凹所１１ａ内には、前記被連結部材３の受け入れに伴って前記被連結部材３を引き込む傾斜部分１１ｇが形成されている。図示の例では、前記膨出部１１ｅにおける前記内奥部１１ｆに面した側面が、この側面と溝状凹所１１ａの溝他端１１ｃとの間の距離を溝状凹所１１ａの溝底に近づくに連れて漸減させる向きの傾斜を備えており、この側面によって前記傾斜部分１１ｇが形成されている。
【００２８】
一方、ガイド部材２は、前記軸状固定具Ｓの案内部２０を備えると共に、位置決め手段２１によって前記案内部２０を前記通し部１０の前方に位置させるように前記背板Ｆ１の表側に位置づけ可能に構成されている。
【００２９】
この実施の形態にあっては、ガイド部材２は、家具Ｆの天板Ｆ２、側板Ｆ４又は地板Ｆ３に接すると共に前記位置決め手段２１を備えたベース部２２と、前記ベース部２２から突き出すと共に前記案内部２０を備えた立ち上がり部２３とを備えている。
【００３０】
図示の例では、ガイド部材２は四角形の板状をなすベース部２２の一辺部と長方形の板状をなす立ち上がり部２３の短手側の一辺部とを、ガイド部材２が側面視の状態において実質的にＬ字状を呈するように連接させてなる。
【００３１】
前記位置決め手段２１は、図示の例では、ガイド部材２の屈曲外側において、前記ベース部２２から突き出す大径突起２１ａ及び小径突起２１ｂによって構成されている。大径突起２１ａ及び小径突起２１ｂはいずれも、前記立ち上がり部２３の短手側の辺部の中央を通るガイド部材２を二分する仮想の平面ｚ（図６参照）上にその中心軸を位置させるように前記ベース部２２から突き出す円柱状を呈している。図示の例では、ガイド部材２の屈曲部側に大径突起２１ａが位置されるようになっている。また、図示の例では、大径突起２１ａは、その突き出し端から根元までの間に、複数の周回状段差部２１ｃ…２１ｃを、複数備えている。
【００３２】
また、この実施の形態にあっては、前記ガイド部材２の案内部２０は、前記立ち上がり部２３を前後に貫通する貫通孔により構成されている。この案内部２０も、前記仮想の平面上にその孔中心を位置させるように設けられている。
【００３３】
かかるガイド部材２は、典型的には、プラスチック製とされる。
【００３４】
かかる家具用固定具は、家具Ｆの隅部Ｆ５に取り付けられて、この隅部Ｆ５において軸状固定具Ｓを用いて家具Ｆの背側を壁Ｗに固定するために用いるのに適した構造となっている。
【００３５】
図８〜図１２は、家具Ｆの右上の隅部Ｆ５を壁Ｗに固定する手順を示している。前記固定部材１は、天板Ｆ２に備えられる被連結部材３と、右側の側板Ｆ４に備えられる被連結部材３とにより、背板Ｆ１の裏側においてかかる右上の隅部Ｆ５に固定されるようになっている。一方、前記ガイド部材２は、天板Ｆ２に設けられた大径孔Ｆ６及び小径孔Ｆ７を利用して背板Ｆ１の表側において前記右上の隅部Ｆ５に固定されるようになっている。
【００３６】
先ず、ガイド部材２の小径突起２１ｂを小径孔Ｆ７に納めながら大径突起２１ａを前記大径孔Ｆ６に打ち込む。これにより、ガイド部材２はベース部２２の屈曲外側２４の面を天板Ｆ２の下面に密着させ、前記立ち上がり部２３を垂下させた状態で、かかる天板Ｆ２に固定される（図９）かかるガイド部材２の前記大径突起２１ａは、前記複数の周回状段差部２１ｃ…２１ｃを大径孔Ｆ６の孔壁Ｗに食いつかせた状態でこの大径孔Ｆ６に打ち込まれるようになっている。なお、かかるガイド部材２は、側板Ｆ４に前記大径孔Ｆ６及び小径孔Ｆ７を設けることでかかる側板Ｆ４にベース部２２を固定させ、立ち上がり部２３をこの側板Ｆ４から水平方向に突き出すようにしてかかる側板Ｆ４に固定することも可能である。
【００３７】
図示の例では、次に、前記溝Ｆ２ａ、Ｆ４ａを利用して背板Ｆ１の組み込みをなしている（図１０）。
【００３８】
次いで、天板Ｆ２に備えられた被連結部材３を前記水平線ｘより上側に位置されるこの水平線ｘに対し直交向きの溝状凹所１１ａに前方から納めると共に、側板Ｆ４に備えられた被連結部材３を前記水平線ｘより上側に位置されるこの水平線ｘに対し平行向きの溝状凹所１１ａに前方から納めるように固定部材１をセットする（図１１から図１２）。溝状凹所１１ａは前記傾斜部分１１ｇを備えていることから、溝状凹所１１ａに被連結部材３が入り込むにしたがって固定部材１の上辺は天板Ｆ２の下面に押しつけられ、固定部材１の右辺は側板Ｆ４の内面に押しつけられ、固定部材１により天板Ｆ２と側板Ｆ４とが隙間なく強固に連結される。
【００３９】
最後に、ガイド部材２の案内部２０を通じて軸状固定具Ｓを背板Ｆ１に突き通す（図１３）。固定部材１及びガイド部材２は、案内部２０の後方には通し部１０が位置されるように家具Ｆ側に固定されており、したがって、かかる軸状固定具Ｓは前記通し部１０を通じて壁Ｗに打ち込まれ、これにより家具Ｆが壁Ｗに固定される。典型的には、軸状固定具Ｓは壁Ｗを構成する柱や間柱に打ち込まれるようにする。
【００４０】
なお、かかる軸状固定具Ｓは、前記背板Ｆ１に突き通され、さらに、壁Ｗに打ち込まれる構造のものであれば良く、公知の各種の軸状の固定体を用いることができる。図示の例では、かかる軸状固定具Ｓは、木ねじ状のもの（タッピングビス）となっている。
【００４１】
この実施の形態にあっては、前記被連結部材３は、家具Ｆ側へのねじ込み部３１と反対の側に頭部３０を備えた軸状のものとなっている。そして、前記受入部１１としての溝状凹所１１ａは、前記内奥部１１ｆに被連結部材３の前記頭部３０を受入するようになっている。これにより、前記被連結部材３は、前記ねじ込み部３１を利用して家具Ｆ側に容易に取り付け可能となっている。
【００４２】
また、この実施の形態にあっては、前記内奥部１１ｆにおける前記頭部３０の顎部３０ａに接する箇所、図示の例では前記膨出部１１ｅの内奥部１１ｆに面した側面を前記傾斜部分１１ｇとさせている。これにより、図示の例では、前記内奥部１１ｆは溝状凹所１１ａの溝口側（固定部材１の前面部１’側）では前記頭部３０を受け入れやすい大きさを持る一方で、溝底側では前記頭部３０を隙間なく納める大きさとなっている。そして、溝状凹所１１ａに被連結部材３が入り込むにしたがって被連結部材３は引き込まれて固定部材１の側縁１３が家具Ｆ側に隙間なく押しつけられるようになっている。
【００４３】
この実施の形態にあっては、固定部材１は、四箇所の受入部１１…１１としての溝状凹所１１ａを前記のように配することから、一種類の固定部材１をもって、家具Ｆの各隅部Ｆ５の固定の用に供される（図２）。
【００４４】
すなわち、家具Ｆの右下の隅部Ｆ５については、前記水平線ｘの下側に位置される直交向きの溝状凹所１１ａに地板Ｆ３に設けた被連結部材３を納めさせ、かつ、前記水平線ｘの下側に位置される水平向きの溝状凹所１１ａに右側の側板Ｆ４に設けた被連結部材３を納めさせることで、固定部材１のセットが可能とされる。
【００４５】
また、家具Ｆの左上の隅部Ｆ５については、図３の下側が上側となるように固定部材１の向きを変えた状態（図１４）で、前記水平線ｘの上側に位置される直交向きの溝状凹所１１ａに天板Ｆ２に設けた被連結部材３を納めさせ、かつ、前記水平線ｘの上側に位置される水平向きの溝状凹所１１ａに左側の側板Ｆ４に設けた被連結部材３を納めさせることで、固定部材１のセットが可能とされる。
【００４６】
また、家具Ｆの左下の隅部Ｆ５については、図３の下側が上側となるように固定部材１の向きを変えた状態（図１４）で、前記水平線ｘの下側に位置される直交向きの溝状凹所１１ａに地板Ｆ３に設けた被連結部材３を納めさせ、かつ、前記水平線ｘの下側に位置される水平向きの溝状凹所１１ａに左側の側板Ｆ４に設けた被連結部材３を納めさせることで、固定部材１のセットが可能とされる。
【００４７】
なお、当然のことながら、本発明は以上に説明した実施態様に限定されるものではなく、本発明の目的を達成し得るすべての実施態様を含むものである。
【符号の説明】
【００４８】
Ｗ  壁
Ｆ  家具
Ｆ１  背板
Ｆ２  天板
Ｆ３  地板
Ｆ４  側板
Ｓ  軸状固定部
１  固定部材
１０  通し部
１１  受入部
１１ｇ  傾斜部分
２  ガイド部材
２０  案内部
３  被連結部材
【図１】
2016007480.tif 000003
【図２】
2016007480.tif 000004
【図３】
2016007480.tif 000005
【図４】
2016007480.tif 000006
【図５】
2016007480.tif 000007
【図６】
2016007480.tif 000008
【図７】
2016007480.tif 000009
【図８】
2016007480.tif 000010
【図９】
2016007480.tif 000011
【図１０】
2016007480.tif 000012
【図１１】
2016007480.tif 000013
【図１２】
2016007480.tif 000014
【図１３】
2016007480.tif 000015
【図１４】
2016007480.tif 000016